(57)【要約】【課題】  スプリンクラーヘッドの近傍に設置された火災感知器の作動信号により弁体が開放される予作動式流水検知装置において、一次側配管から二次側配管へ水を補給する配管の簡素化および省スペース化を図り、さらに点検やメンテナンス時において弁箱周囲に配置された付帯機器の操作ミスを予防する。【解決手段】  一次側と二次側を連通するバイパス通路１４を、弁箱の外部に形成されたボス１５の内部に穿設し、該バイパス通路１４の開放・閉止が可能な供給弁１６をボス１５上に開閉操作可能に設けた。【選択図】    図２
2010057809.tif 000002
【特許請求の範囲】
【請求項１】
弁箱内が隔壁により一次側室と二次側室に分けられ、該隔壁上に穿設された連通穴が弁体により常時閉止されており、二次側にはスプリンクラーヘッドが設けられた配管が接続され、該スプリンクラーヘッドの近傍に設置された火災感知器が、コントロール装置に接続されており、前記火災感知器が作動してコントロール装置に入力される信号により弁体が開放され、弁体が開放した際に流水信号を発生可能な流水信号発生手段を備えた予作動式流水検知装置において、一次側と二次側を連通するバイパス通路を弁箱内に設け、該バイパス通路の開放・閉止が可能な供給弁をバイパス通路上に設けたことを特徴とする予作動式流水検知装置。
【請求項２】
前記予作動式流水検知装置において、前記バイパス通路は、弁箱の外部に形成されたボスの内部に穿設され、該ボスに上に前記供給弁が開閉操作可能に設けられていることを特徴とする請求項１記載の予作動式流水検知装置。
【請求項３】
前記予作動式流水検知装置において、前記バイパス通路は、弁箱の一次側室および二次側室からボスの突出方向に穿設された各々の穴と交差するボスの外部より穿設された穴が設けられていることを特徴とする請求項２記載の予作動式流水検知装置。
【請求項４】
前記予作動式流水検知装置において、前記バイパス通路および供給弁が設けられた面とは異なる面に二次側室の排水手段が設けられていることを特徴とする請求項１から３記載の予作動式流水検知装置。
【請求項５】
前記予作動式流水検知装置において、前記バイパス通路が設けられた面に、二次側室内の圧力を表示する圧力計を設置したことを特徴とする請求項４記載の予作動式流水検知装置。
【発明の詳細な説明】
【技術分野】
【０００１】
本発明は、予作動式スプリンクラー設備に設置される予作動式流水検知装置に関するものである。
【０００２】
予作動式流水検知装置は、予作動式スプリンクラー設備の配管上に設置されるものであり一次側が水源を有する一次側配管に接続され、二次側はスプリンクラーヘッドが設置された二次側配管に接続されている。予作動式流水検知装置の内部の弁体は常時閉止されており、スプリンクラーヘッドの近傍に設置された火災感知器の作動信号により弁体が開放される構造になっている。
【０００３】
そのため、スプリンクラーヘッドが非火災時に誤って作動しても、二次側配管内の流体が作動したスプリンクラーヘッドから放出するだけであり、特に二次側配管内に空気や不燃ガスを充填している場合には室内の家具や備品等に実質的な被害が及ばないことから、美術館や精密機械等が設置される場所に有効なものである。しかしながら、二次側配管に充填される気体は時間の経過とともに僅かながら減圧してくるので、充填される気体を元の圧力範囲まで補充する必要があることからコンプレッサー等の供給機器が必要となり設備コストが高額となるものであった。
【０００４】
対して、二次側配管内に水を充填した場合、スプリンクラーヘッドが誤作動した場合には水が放出されるが、その量は二次側配管内の水だけであり限られた量であるので水損被害はある程度低減できる。また二次側配管内に充填する水は水源を有する一次側配管から容易に供給することができ、上記の二次側配管が気体の場合と比較して設備にかかるコストが少なくで済むことから近年注目されている消火設備である。
【０００５】
従来の二次側配管内に水が充填されている予作動式スプリンクラー設備は、スプリンクラーヘッドが設置されている二次側配管の圧力を水源を有する一次側の圧力よりも低く設定しているものがある（例えば、特許文献１参照。）。特許文献１に記載された開放弁は、常時弁体が閉じられており火災感知器の作動によって弁体が開放される。
【０００６】
該開放弁は、二次側の圧力を一次側の圧力よりも低くするために、二次側配管への水の補給を開放弁の一次室から二次室へ連通する調圧配管を設け、該調圧配管上に二次室の圧力を検出可能な圧力スイッチに連動して開閉する電動弁を設けている。具体的には二次室側の圧力降下が圧力スイッチによって検出されると電動弁が開き、一次室の水が調圧配管を通って二次室に流れる。二次室側の圧力が回復すると電動弁が閉止される構造となっている。
【０００７】
【特許文献１】特許  第３８８４１４６号公報
【発明の開示】
【発明が解決しようとする課題】
【０００８】
上記の予作動式流水検知装置は、一次室から二次室に水を供給可能な調圧配管が２系統設けられていることで、弁周囲に２系統分の配管を設けるスペースが必要となるものであった。
【０００９】
また、予作動式流水検知装置の弁箱周囲には弁箱内と連通している配管や、該配管上に設けられたバルブ等の付帯機器が多数設置されており、点検やメンテナンス時に前記バルブや機器を誤って操作してしまった場合には、館内に火災警報が出力されてしまうことや、二次側配管に設定圧力以上の圧力を印加してしまうおそれがあり、作業者はバルブや機器の操作に細心の注意を払って作業を行っていた。
【００１０】
そこで本発明では、上記問題に鑑み、一次側配管から二次側配管へ水を補給する配管の簡素化および省スペース化を図り、さらに点検やメンテナンス時において弁箱周囲に配置された付帯機器の操作ミスを予防することが可能な予作動式流水検知装置の提供を目的としている。
【課題を解決するための手段】
【００１１】
上記の目的を達成するために、請求項１記載の発明は、弁箱内が隔壁により一次側室と二次側室に分けられ、該隔壁上に穿設された連通穴が弁体により常時閉止されており、二次側にはスプリンクラーヘッドが設けられた配管が接続され、該スプリンクラーヘッドの近傍に設置された火災感知器が、コントロール装置に接続されており、前記火災感知器が作動してコントロール装置に入力される信号により弁体が開放され、弁体が開放した際に流水信号を発生可能な流水信号発生手段を備えた予作動式流水検知装置において、一次側と二次側を連通するバイパス通路を弁箱内に設け、該バイパス通路の開放・閉止が可能な供給弁をバイパス通路上に設けたことを特徴とする予作動式流水検知装置である。
【００１２】
請求項２記載の発明は、前記予作動式流水検知装置において、前記バイパス通路は、弁箱の外部に形成されたボスの内部に穿設され、該ボスに上に前記供給弁が開閉操作可能に設けられていることを特徴とする請求項１記載の予作動式流水検知装置である。
【００１３】
請求項３記載の発明は、前記予作動式流水検知装置において、前記バイパス通路は、弁箱の一次側室および二次側室からボスの突出方向に穿設された各々の穴と交差するボスの外部より穿設された穴が設けられていることを特徴とする請求項２記載の予作動式流水検知装置である。
【００１４】
請求項４記載の発明は、前記予作動式流水検知装置において、前記バイパス通路および供給弁が設けられた面とは異なる面に二次側室の排水手段が設けられていることを特徴とする請求項１から３記載の予作動式流水検知装置である。
【００１５】
請求項５記載の発明は、前記予作動式流水検知装置において、前記バイパス通路が設けられた面に、二次側室内の圧力を表示する圧力計を設置したことを特徴とする請求項４記載の予作動式流水検知装置である。
【発明の効果】
【００１６】
請求項１記載の発明によれば、一次側室と二次側室を連通するバイパス配管を弁箱内に設けたことで弁箱外部に設置される配管やバルブの構成がシンプルになり、さらに省スペース化が図れる。
【００１７】
請求項２記載の発明によれば、弁箱の外部に形成されたボスの内部にバイパス通路を穿設したことで、弁箱外部に設置される配管が少なくなり省スペース化が図れる。
【００１８】
請求項３記載の発明によれば、前記一次側室および二次側室から前記ボスの突出方向に穿設された各々の穴を交差する穴をボスの外部よりドリル加工により穿設することができる。
【００１９】
請求項４記載の発明によれば、例えば弁箱の一面にバイパス構造を設け、その反対面に排水手段を設置したことにより、一面が一次側室から二次側室への給水操作側、反対面が二次側室の排水操作側に分けることができ、作業者がそれを認識して作業することで点検やメンテナンス時のバルブ操作のミスを防ぐ効果を有する。
【００２０】
請求項５記載の発明によれば、前記バイパス通路が設けられた面に、二次側室内の圧力を表示する圧力計を設置したことにより、一次側室から二次側室へ給水を行なう際に二次側室内の圧力を確認しながら供給弁を操作することが容易となる。
【発明を実施するための最良の形態】
【００２１】
本発明を実施するにあたって、予作動式流水検知装置の構造は弁体が弁座上を上下に移動するリフト式構造の逆止弁を用いてもいいし、弁体の一部が軸支され回動可能なスイング式構造の逆止弁を用いることも可能である。バイパス通路は弁箱外部に設けたボスに穿設され、バイパス通路を開放・閉止可能な供給弁が設けられる。
【００２２】
バイパス通路は鋳造による弁箱形成時に設けることも可能であり、または鋳造時に円筒材を鋳込んで形成する鋳ぐるみ手法により設けることも可能である。あるいは弁箱形成後にドリル等にて穿設することも可能であり、これらの方法を組み合わせて形成することもできる。
【００２３】
供給弁の操作ハンドルをボス上に設けることも可能である。また、弁箱のバイパス通路を設けた面と反対側に排水弁等の排水手段を配置して作業者の操作ミスを防ぐことや、あるいは供給弁のハンドルの色と排水弁のハンドルの色を違うものにして作業者に理解しやすいように配慮することもできる。
【実施例】
【００２４】
以下、この発明の実施例を図１から図４を参照して説明する。図１は本発明の予作動式流水検知装置の断面図、図２は図１の予作動式流水検知装置の蓋側から見た外観系統図、図３は図２の供給弁部分の拡大断面図、図４は図３のＢ方向から見た外観図を表す。
【００２５】
本発明の予作動式流水検知装置は、一次側が水源に接続され、二次側にはスプリンクラーヘッドが設置された配管と接続される。スプリンクラーヘッドの近傍には火災感知器が設置されており、該火災感知器の作動信号はコントロール装置を介して予作動式流水検知装置に送られ主弁体が開放される。
【００２６】
予作動式流水検知装置は、弁体が弁座上を上下に移動するリフト式構造をしており、内部は図１に示すように弁箱１の内部が隔壁２によって一次側室Ｉと二次側室ＩＩに仕切られ、隔壁２の中間部分には一次側室Ｉと二次側室ＩＩを連通可能な連通穴３が穿設されている。
【００２７】
一次側室Ｉには連通穴３を開閉可能な弁体４が設置される。弁体４は有底円筒形状をしており、底面が連通穴３の端面である弁座５に着座する。弁体４の開口付近には鍔部が形成され、該鍔部の側面が一次側室Ｉに形成された円筒部６の内面に沿って摺動可能である。
【００２８】
円筒部６の端部開口は蓋７により閉塞されている。蓋７と弁体４の間にはバネ８が介在され、弁体４を弁座５側に付勢している。また、弁体４と円筒部６、蓋７により形成された空間を制御室９といい、一次側室Ｉと制御室９を連通する配管によって一次側室Ｉ内の流体が逆止弁１０、オリフィス１１を通り充填される。
【００２９】
図２に示す制御室９から排水管Ｄに接続される配管上には、常時は閉止状態にあり図示しない火災感知器の作動によって開放される電動弁Ｖ１と、常時閉止状態の手動弁Ｖ２が並列に接続されている。電動弁Ｖ１は図示しないコントロール装置と電気的に接続されており、また前述の火災感知器もコントロール装置と電気的に接続されている。
【００３０】
電動弁Ｖ１が開放されると、制御室９内の流体が排水管Ｄに排出されて制御室９内の流体圧力が低下し、弁体４が弁座５から離れて一次側室Ｉと二次側室ＩＩが通水可能な状態となる。
【００３１】
手動弁Ｖ２は、強制的に予作動式流水検知装置を作動させたい場合に開放する。
【００３２】
前述の弁座５の奥には環状の空間が形成されており、これを中間室１２という。中間室１２からは弁箱１の外部に通じる通路１３Ａ、１３Ｂが穿設されている。通路１３Ａの弁箱外部には流水信号発生手段である圧力スイッチＰＳが接続されており、さらにオリフィスを介して排水管Ｄと接続されている。
【００３３】
通路１３Ｂは弁箱外部に接続された配管によって一次側室Ｉと接続されており、該配管上にはテスト弁ＴＶが設置されている。テスト弁ＴＶは常時閉止されており、圧力スイッチＰＳの機能確認の際に開放される。またテスト弁ＴＶの一次側には一次側室Ｉ内の圧力を表示する圧力計が設けられている。
【００３４】
一次側室Ｉと二次側室ＩＩとを連通するバイパス通路１４Ａ、１４Ｂは、隔壁２付近に穿設され弁箱１の外部に設けたボス１５側に穴が延びている。バイパス通路１４Ａ、１４Ｂは平行に穿設されている。該バイパス通路１４Ａ、１４Ｂに交差するバイパス通路１４Ｃがボス１５の外部よりドリル等で穿設され、各々のバイパス通路１４Ａ〜１４Ｃが連通される。バイパス通路１４Ｃの開口部はプラグ１４Ｄにより塞がれる。
【００３５】
バイパス通路１４Ａ〜Ｃを開放・閉止する供給弁１６は、ボス１５に設置され、バイパス通路１４Ａからボス１５の外部に通じる開口部１５Ａが形成されており、該開口部１５Ａにはバイパス通路１４Ａおよび１４Ｃが連通している。
【００３６】
開口部１５Ａとバイパス通路１４Ａとの境に弁座１７が設けられ、弁体１８が弁座１７に着座するよう配置される。弁体１８は弁座１７の着座面と反対側に弁棒１９の一端が取り付けられ、弁棒１９の他端側はボス１５の外部に突出してハンドル２０が取り付けられている。
【００３７】
弁棒１９の中間部分には牡ネジが螺刻されており、該牡ネジと螺合する牝ネジが内部に設けられたボンネット２１がボス１５に接続され開口部１５Ａを閉塞している。ハンドル２０を回転させると弁棒１９の牡ネジにより弁棒１９および弁体１８が移動され、バイパス通路１４の開放・閉止ができる。
【００３８】
排水弁２２は、二次側室ＩＩから弁箱１の外部に通じる通路２３に接続され、二次側室ＩＩ内の流体を排出するものである。
【００３９】
二次側室ＩＩ内の流体圧力が表示される圧力計２４は、バイパス通路１４が配置された面に設けられている。
【００４０】
上記構成の予作動式流水検知装置において、図２のように蓋７を正面とした場合、図中左側にバイパス通路１４と供給弁１６および一次側室と二次側室用の各々の圧力計が配置され、右側には排水管Ｄとそれに接続される圧力スイッチＰＳ、電動弁Ｖ１、手動弁Ｖ２、排水弁２２が配置されている。
【００４１】
このような構成としたことにより、一次側室から二次側室への給水作業時には左側に配置された供給弁を操作しながら圧力計２４を確認して二次側室ＩＩ内の流体圧力の調整作業ができる。特に、予作動式流水検知装置が狭い場所に設置されている場合や予作動式流水検知装置のサイズが大きい場合には、供給弁の近傍に圧力計が設置されてたほうが作業性がよい。
【００４２】
続いて、上記の予作動式流水検知装置の作動について図５を参照して説明する。図５は本発明の予作動式流水検知装置が設置された予作動式スプリンクラー設備の系統図である。
【００４３】
本発明の予作動式流水検知装置は図５に示すように弁箱１の一次側が一次側配管３０により水源Ｗに接続されポンプＰにより水源３０の水を汲み上げることが可能である。二次側にはスプリンクラーヘッド３１が設置された二次側配管３２と接続され、一次側および二次側配管内は充水されている。スプリンクラーヘッド３１の近傍には火災感知器３３が設置されており、該火災感知器３３の作動信号はコントロール装置３４を介して予作動式流水検知装置に送られ弁体４が開放される。
【００４４】
コントロール装置３４は、火災感知器３３、予作動式流水検知装置の電動弁Ｖ１および圧力スイッチＰＳと電気的に接続されており、各々の機器を監視・制御するものである。
【００４５】
平時において、予作動式流水検知装置の弁体４は閉止状態にあり、二次側室ＩＩ内の圧力は一次側室Ｉ内の圧力より低圧な所定範囲内に維持されている。
【００４６】
火災が発生すると、前述の火災感知器３３が火災を感知して作動信号がコントロール装置３４に出力され、コントロール装置３４によって電動弁Ｖ１が開放される。電動弁Ｖ１が開放したことで、制御室９内の水は排水管Ｄへ流れ出て、制御室９内の流体圧力が減少する。
【００４７】
制御室９内の流体圧力が減少すると、弁体４は弁座５から離れて連通口３は一次側室Ｉと二次側室ＩＩが通水可能な状態になり、一次側室Ｉ内と二次側室ＩＩ内の圧力は同圧となる。弁体４が弁座５から離れて移動したことにより中間室１２内に水が流入し、中間室１２から通路１３Ａを通り圧力スイッチＰＳに水の圧力が印加されると、圧力スイッチＰＳが作動して流水信号を出力する。
【００４８】
火災感知器３３の作動に続いて予作動式流水検知装置の二次側に設置されたスプリンクラーヘッド３１が作動すると、二次側室ＩＩと接続された二次側配管３２内の水が作動したスプリンクラーヘッド３１から放出されて室内に均一に散布される。
【００４９】
スプリンクラーヘッド３１から水が放出されると二次側配管３２だけでなく一次側配管３０内も減圧することから、一次側配管３０側に設けられた圧力スイッチＳＷが減圧により作動してポンプＰを起動させ水源Ｗの水をスプリンクラーヘッド３１に供給する。そしてスプリンクラーヘッド３１より連続的に散布された水によって消火が行われる。
【００５０】
次に、スプリンクラーヘッド３１が誤作動した場合について説明する。
【００５１】
非火災時にスプリンクラーヘッド３１が作動すると、二次側配管３２内の水が作動したスプリンクラーヘッド３１から放出される。ここで、予作動式流水検知装置の弁体４は閉止した状態なので、二次側配管３２内の水がスプリンクラーヘッド３１から放出するのみで放水停止し、連続して水が放出されることはない。
【００５２】
続いて、火災感知器３３よりもスプリンクラーヘッド３１が先に作動した場合について説明する。
【００５３】
火災によりスプリンクラーヘッド３１が作動して、予作動式流水検知装置の二次側室ＩＩおよび二次側配管３２の水がスプリンクラーヘッド３１から放出されるまでは前述と同様である。スプリンクラーヘッド３１の作動に続いて火災感知器３３が作動すると、予作動式流水検知装置の弁体４が開放されて一次側室Ｉから二次側室ＩＩへ水が供給されると共に中間室１３にも水が流入して、圧力スイッチＰＳより流水信号が出力される。
【００５４】
弁体４が開放されたことで一次側室Ｉから二次側室ＩＩに水が供給され、作動したスプリンクラーヘッド４から連続して水が放出して室内に均一に散布され火災を消火する。
【図面の簡単な説明】
【００５５】
【図１】本発明の予作動式流水検知装置の断面図
【図２】図１の予作動式流水検知装置の蓋側から見た外観系統図
【図３】図２の供給弁部分の拡大断面図
【図４】図３のＢ方向から見た外観図
【図５】本発明の予作動式流水検知装置が設置された予作動式スプリンクラー設備の系統図
【符号の説明】
【００５６】
１  弁箱  
２  隔壁  
３  連通穴  
４  弁体  
７  蓋  
８  バネ  
９  制御室  
１２  中間室  
１４Ａ〜１４Ｃ  バイパス通路  
１５  ボス  
１６  供給弁  
２２  排水弁  
Ｄ  排水管
ＰＳ  圧力スイッチ  
ＴＶ  テスト弁  
Ｖ１  電動弁  
Ｖ２  手動弁  
【図１】
2010057809.tif 000003
【図２】
2010057809.tif 000004
【図３】
2010057809.tif 000005
【図４】
2010057809.tif 000006
【図５】
2010057809.tif 000007